(57)【要約】【課題】シンプルな形状で形成でき、製造コストを抑えた携帯機器スタンドを提供することにある。【解決手段】携帯機器スタンド１０は、横から見たときに「コ」の字状になるよう一枚の紙を２回折り、「コ」の字の上下面にそれぞれ設けられた非直線状の切り込みによって、上下面の紙の一部を上方へ折り返してそれぞれタブを形成し、上下面のタブどうしが重なり、かつ、下面から出るタブが上面の切り込み部分に挿入されることによって上下面のずれ防止部分を形成し、重なりあったタブと傾斜した上面によって携帯機器の着座部３２を構成する。【選択図】図１
0003174687.tif 000002
【実用新案登録請求の範囲】
【請求項１】
横から見たときに「コ」の字状になるよう一枚の紙を２回折り、
「コ」の字の上下面にそれぞれ設けられた非直線状の切り込みによって、上下面の紙の一部を上方へ折り返してそれぞれタブを形成し、
上下面のタブどうしが重なり、かつ、下面から出るタブが上面の切り込み部分に挿入されることによって上下面のずれ防止部分を形成し、
重なりあったタブと傾斜した上面によって携帯機器の着座部を構成した携帯機器スタンド。
【請求項２】
請求項１に記載の携帯機器スタンドにおいて、「コ」の字状に折るための２つの折り目は、中央が上面の前記切り込みに近づく曲線であり、
「コ」の字状の側面は、中央が着座部に近づく曲面であることを特徴とする携帯機器スタンド。
【請求項３】
請求項１または２に記載の携帯機器スタンドにおいて、前記切り込みと「コ」の字状に折るための２つの折り目とを形成した、平面状の紙の状態にて流通せしめることを特徴とする携帯機器スタンド。
【考案の詳細な説明】
【技術分野】
【０００１】
本考案は、携帯機器スタンドに関し、特に紙を折って形成可能な携帯機器スタンドに関する。
【背景技術】
【０００２】
近年、ワンセグメント部分受信サービスを用いて携帯電話でデジタル放送を鑑賞したり、いわゆるスマートフォンといわれる多機能携帯電話で映像を鑑賞する機会が多くなっている。このように携帯電話で映像を見る場合、携帯電話を立てた状態であれば携帯電話を持つユーザの手が自由になり、見やすくなる。現在、携帯電話のスタンドとしてプラスチック製のものが流通しており、その多くは充電機能を有している。
【考案の概要】
【考案が解決しようとする課題】
【０００３】
現在流通しているプラスチック製の携帯電話のスタンドは、何度も使用することが前提である。そのため耐久性を高めた構造になっており、製造コストは高価である。たとえば、外出先で携帯電話で表示する映像を見る場合、プラスチック製の携帯電話のスタンドを持ち運ばなくとも、携帯電話を立てられる簡易な構成のスタンドが望まれている。
【０００４】
本考案はこうした課題に鑑みてなされたものであり、その目的は、製造コストを抑えた携帯機器スタンドを提供することにある。
【課題を解決するための手段】
【０００５】
本考案のある態様は、携帯機器スタンドである。この携帯機器スタンドは、横から見たときに「コ」の字状になるよう一枚の紙を２回折り、「コ」の字の上下面にそれぞれ設けられた非直線状の切り込みによって、上下面の紙の一部を上方へ折り返してそれぞれタブを形成する。さらにこの携帯機器スタンドは、上下面のタブどうしが重なり、かつ、下面から出るタブが上面の切り込み部分に挿入されることによって上下面のずれ防止部分を形成し、重なりあったタブと傾斜した上面によって携帯機器の着座部を構成する。
【０００６】
この態様によると、一枚の紙からシンプルな形状の携帯機器スタンドを形成することができ、組み立てを容易にすることができる。また一枚の紙に切り込みと折り目を形成することで製造できるため、製造コストを抑えることができる。
【考案の効果】
【０００７】
本考案によれば、携帯機器スタンドの製造コストを抑えることができる。
【図面の簡単な説明】
【０００８】
【図１】実施の形態に係る携帯機器スタンドを説明するための説明図である。
【図２】実施の形態に係る携帯機器スタンドの平面図である。
【図３】携帯機器スタンドの組み立て方法について説明するための説明図である。
【考案を実施するための形態】
【０００９】
図１は、実施の形態に係る携帯機器スタンド１０を説明するための説明図である。図１（ａ）は、携帯機器スタンド１０を組み立てた状態を示す斜視図であり、図１（ｂ）は、携帯機器スタンド１０の使用状態を示す図である。
【００１０】
図１（ａ）に示す携帯機器スタンド１０は、一枚の紙を組み立てて形成される。組み立てた携帯機器スタンド１０は、横から見て一部が三角形状に形成されている。この三角形状の上面の着座部３２に携帯電話４０が載置されると、図１（ｂ）に示すように携帯電話４０が立設するように支持され、ディスプレイ４０ａを見やすい状態にできる。
【００１１】
図２は、実施の形態に係る携帯機器スタンド１０の組み立て前の状態を示す平面図である。なお各図面に示される同一または同等の構成要素、部材には、同一の符号を付するものとし、適宜重複した説明は省略する。
【００１２】
携帯機器スタンド１０は、上面部１２、立設部１４、下面部１６、第１折り目１８、第２折り目２０、第１切り込み２２、第２切り込み２４、第１タブ２６、第２タブ２８（これらを区別しない場合、単に「タブ」という）および広告スペース３０を備える。
【００１３】
携帯機器スタンド１０は、長方形状の一枚の紙に、第１切り込み２２および第２切り込み２４（これらを区別しない場合、単に「切り込み」という）と、第１折り目１８および第２折り目２０（これらを区別しない場合、単に「折り目」という）とを形成した、平面状の紙の状態にて流通される。これにより、他の紙の広告媒体と同様に配布することが可能となり、配布が非常に容易になる。また、携帯機器スタンド１０を切り込み加工と折り加工により製造できるため、製造コストを抑えることができ、広告用のノベルティとして配布する場合、使い捨てることができる携帯機器スタンド１０として有用である。また、平面状の紙の状態であれば持ち運び易い。
【００１４】
携帯機器スタンド１０には、「コ」の字状に折るための第１折り目１８および第２折り目２０が折り加工により形成される。第１折り目１８および第２折り目２０はともに、中央が第１タブ２６に近づくように湾曲形状の曲線に形成される。折り目は円弧状の曲線であってもよい。
【００１５】
携帯機器スタンド１０は、第１折り目１８および第２折り目２０とを境界として、上面部１２、立設部１４および下面部１６に区分される。図１（ａ）に示す組み立て状態で、上側に上面部１２、下側に下面部１６が位置し、上面部１２と下面部１６との間に連結して立設部１４が位置する。
【００１６】
上面部１２には湾曲形状の第１切り込み２２が形成され、下面部１６には第１切り込み２２と同様の形状の第２切り込み２４が形成される。第１切り込み２２を折り返すと第１タブ２６が形成され、第２切り込み２４を折り返すと第２タブ２８が形成される。図２に示す、第１切り込み２２と、第１切り込み２２の両端を結ぶ直線との切り込み角３４は、６０度である。この切り込み角３４は、４５度以上であれば携帯電話４０を受け止めるために十分なタブを形成できる点で好ましい。第２切り込み２４の切り込み角も同様である。なお、切り込みは、湾曲形状に限定されず、タブを形成可能な形状であればよい。たとえば、タブが長方形状となるように切り込みを形成する。非線形状の切り込みは、湾曲形状の切り込み、およびタブが長方形状となる切り込みを含む。
【００１７】
図１（ａ）に示すように、組み立てた状態の携帯機器スタンド１０において、第１折り目１８からタブまでの領域が携帯電話４０の着座部３２となる。
【００１８】
携帯機器スタンド１０を生成する紙の厚さは、四六判重量規格で１１０ｋｇ以上であることが好ましい。これにより、組み立てたときの携帯機器スタンド１０の強度、すなわち耐荷重を確保することができ、携帯電話の中でも比較的重量のあるスマートフォンであっても、紙製の携帯機器スタンド１０によって立設するよう支持することができる。また、スマートフォンを支持するための携帯機器スタンド１０の長辺の長さは２２０ｍｍ以上、短辺の長さは１１０ｍｍ以上であれば好ましい。
【００１９】
図１（ｂ）に示す使用状態において、携帯機器スタンド１０を横から見たときに携帯機器スタンド１０の一部が三角形状に形成される。この三角形状がほぼ正三角形であると、着座部３２の強度を高めることができる。第１折り目１８の中央から第１タブ２６までの長さと、立設部１４の中央の長さ（第１折り目１８と第２折り目２０の中央の長さ）とが等しくなるように設定する。また、第２折り目２０の中央から第２切り込み２４の中央までの長さが、第１折り目１８の中央から第１タブ２６までの長さ、および立設部１４の中央の長さと等しくなるように設定することで、着座部３２の強度をより高めることができる。なお、スマートフォンの厚さに応じて、使用状態における着座部３２の傾斜角度を設定してもよい。
【００２０】
図２に示すように第１折り目１８と第２折り目２０の曲線の曲り度合は、第１折り目１８は第２折り目２０より大きい。曲り度合とは、たとえば曲率であり、曲り度合が大きければきつく湾曲し、曲り度合が小さければ緩く湾曲していることを示す。これにより、組み立て状態において「コ」の字状の側面、すなわち立設部１４は、中央が第１切り込み２２に近づく曲面になる。「コ」の字状の側面をたわませることで、着座部３２の強度を高めることができる。
【００２１】
上面部１２の表面には広告スペース３０が設けられ、図１（ｂ）に示すように使用状態において、携帯電話４０を見るユーザの視野に広告が入るようにできる。広告スペース３０は、少なくとも第１切り込み２２から上面部１２の先端までの間に設けられる。これにより携帯機器スタンド１０を広告に利用でき、ノベルティとして配布することも可能となる。
【００２２】
図３は、携帯機器スタンド１０の組み立て方法を説明する図である。図３（ａ）は、組み立て前の状態の携帯機器スタンド１０であり、平面状の紙である。図３（ｂ）に示すようにユーザは、この一枚の紙を折り目に沿って２回折る。
【００２３】
これで、図３（ｃ）に示すように携帯機器スタンド１０は、横から見たときに「コ」の字状になる。また第１切り込み２２および第２切り込み２４を上方に折り返して、第１タブ２６および第２タブ２８を形成する。立設部１４の中央は第１タブ２６に近づく方向にたわみ、立設部１４の両端側部分は、第１タブ２６から離れる方向にたわんだ曲面である。
【００２４】
図３（ｄ）に示すように第１タブ２６と第２タブ２８が重なるように、第２タブ２８が第１切り込み２２に挿入される。これにより上面部１２と下面部１６とのずれ防止部分が形成される。また、重なりあったタブと傾斜した上面部１２によって携帯電話４０の着座部３２が構成される。
【００２５】
図３（ｅ）に示すように着座部３２に携帯電話４０が載置され、携帯機器スタンド１０は、携帯電話４０を立てて支持できる。このときタブは、携帯電話４０がすべらないようにストッパとして機能し、携帯電話４０の重さによりタブの重なりがずれないようにできる。このように、平面状の紙の状態で携帯機器スタンド１０を配布しても、ユーザは折るだけで簡単に組み立てて利用することができる。
【００２６】
実施の形態にもとづき、本考案を説明したが、この実施の形態は、あくまで例示であり、実施の形態には、請求の範囲に規定された本考案の思想を離脱しない範囲において、多くの変形例や配置の変更が可能なこと、またそうした変形例も本考案の範囲にあることは当業者に理解されるところである。
【００２７】
実施の形態では、携帯機器として携帯電話を例に説明したがこれに限られない。たとえば、携帯機器は、タブレットＰＣ（Personal Computer）やデジタルフォトフレームなどディスプレイを有する携帯可能な機器であってよい。
【符号の説明】
【００２８】
１０  携帯機器スタンド、  １２  上面部、  １４  立設部、  １６  下面部、  １８  第１折り目、  ２０  第２折り目、  ２２  第１切り込み、  ２４  第２切り込み、  ２６  第１タブ、  ２８  第２タブ、  ３０  広告スペース、  ３２  着座部、  ４０  携帯電話、  ４０ａ  ディスプレイ。
【図１】
0003174687.tif 000003
【図２】
0003174687.tif 000004
【図３】
0003174687.tif 000005